(57)【要約】【課題】更なる安定性且つ高信頼性を有した構造により小型電灯とそのソケットとを互いに接合させて、より理想的な防水効果を達成し、且つ長時間アウトドアに置かれても高安全性を有する装飾用小型電灯の防水改良構造を提供することを目的とする。【解決手段】突リングを含む絶縁座体部分に取り付けられ、端子が前記座体の両側に露出する一電灯と、前記電灯の端子の挿し込みに提供した一ソケットは、その上端から上へ伸びて形成した一円形接続部と、透明な材料で成形され、頂面と下へ開口した中空内孔とを有し、前記内孔によりソケットの円形接続部の外周面を緊迫して接合し、電灯を保護する一カバーと、前記カバーの内周面とソケットの円形接続部との間に設けた少なくとも一防水パッキンと、を含むことを特徴とする装飾用小型電灯の防水改良構造。【選択図】　　　図３
2004014244.tif 000002
【特許請求の範囲】
【請求項１】
突リングを含む絶縁座体部分に取り付けられ、端子が前記座体の両側に露出する一電灯と、
前記電灯の端子の挿し込みに提供した一ソケットは、その上端から上へ伸びて形成した一円形接続部と、
透明な材料で成形され、頂面と下へ開口した中空内孔とを有し、前記内孔によりソケットの円形接続部の外周面を緊迫して接合し、電灯を保護する一カバーと、
前記カバーの内周面とソケットの円形接続部との間に設けた少なくとも一防水パッキンとを含むことを特徴とする装飾用小型電灯の防水改良構造。
【請求項２】
前記カバーの内孔には、ソケットの円形接続部の長さと対応する戻り止歯付局面を設けていることを特徴とする請求項１に記載の装飾用小型電灯の防水改良構造。
【請求項３】
前記ソケットの円形接続部の上端に接近した処には段差部が設けられて第一防水パッキンの嵌め込みに提供したことを特徴とする請求項１に記載の装飾用小型電灯の防水改良構造。
【請求項４】
前記ソケットの円形接続部の上端に接近した処には段差部が設けられて第一防水パッキンの嵌め込みに提供し、且つ前記カバーの開口に接近した処にも段差部が設けられて第二防水パッキンの嵌め込みに提供したことを特徴とする請求項１に記載の装飾川小型電灯の防水改良構造。
【請求項５】
前記第一防水パッキンは、カバーの内周面と円形接続部の外周面と電灯座体の突リングとの間に定位されたことを特徴とする請求項３又は請求項４に記載の装飾用小型電灯の防水改良構造。
【請求項６】
前記ソケットの上端面と円形接続部との接続した処のやや下に、予め工具で力を加えるための凹部が設けられたことを特徴とする請求項１に記載の装飾用小型電灯の防水改良構造。
【請求項７】
前記ソケットの内部とそのハネスとの間には、一塞ぎ部材を入れて樹脂注ぎ作業を施して防水することができることを特徴とする請求項１に記載の装飾用小型電灯の防水改良構造。
【発明の詳細な説明】
【０００１】
【発明の属する技術分野】
本発明は装飾用小型電灯の防水改良構造に係わり、特に装飾用連続電灯の小型電灯に適用して、より理想的な防水効果を得られる装飾用小型電灯の防水改良構造に関する。
【０００２】
【従来の技術】
目下、一般の装飾用連続電灯で使用された小型電灯は、一般的に挿し込むための座体部分が設けられ、前記座体部分を一ソケットに接合することができ、電灯の二端子が座体部分の両側に露出し、これにより、ソケットと接合した時に電灯は金属片を介して電源により導通状態にされる。
【０００３】
この従来の装飾用小型電灯は、電灯及びその座体部分と、ソケットとは別々に作製された二部材であり、その接続部分には金属を有するので、長時間アウトドアに置き、雨が侵入すると感電の可能性があるので極めて危険であるために、防水構造に設計する必要がある。しかしながら、この小型電灯は安価の量産品であるので、小型電灯とそのソケットとの間の防水機能がずっと改善されなかった。
【０００４】
【発明が解決しようとする課題】
この発明の主要な目的は、更なる安定性且つ高信頼性を有した構造により小型電灯とそのソケットとを互いに接合させて、より理想的な防水効果を達成し、長時間アウトドアに置いても高安全性を有する装飾用小型電灯の防水改良構造を提供する。
【０００５】
【課題を解決するための手段】
上記目的を達成するために成された本願の請求項１は、突リングを含む絶縁座体部分に取り付けられ、端子が前記座体の両側に露出する一電灯と、前記電灯の端子の挿し込みに提供した一ソケットは、その上端から上へ伸びて形成した一円形接続部と、透明な材料で成形され、頂面と下へ開口した中空内孔とを有し、前記内孔によりソケットの円形接続部の外周面を緊迫して接合し、電灯を保護する一カバーと、前記カバーの内周面とソケットの円形接続部との間に設けた少なくとも一防水パッキンとを含むことを特徴とする装飾用小型電灯の防水改良構造であることを要旨としている。
【０００６】
本願の請求項２では、前記カバーの内孔には、ソケットの円形接続部の長さと対応する戻り止歯付局面を設けていることを特徴とする請求項１に記載の装飾用小型電灯の防水改良構造であることを要旨としている。
【０００７】
本願の請求項３では、前記ソケットの円形接続部の上端に接近した処には段差部が設けられて第一防水パッキンの嵌め込みに提供したことを特徴とする請求項１に記載の装飾用小型電灯の防水改良構造であることを要旨としている。
【０００８】
本願の請求項４では、前記ソケットの円形接続部の上端に接近した処には段差部が設けられて第一防水パッキンの嵌め込みに提供し、且つ前記カバーの開口に接近した処にも段差部が設けられて第二防水パッキンの嵌め込みに提供したことを特徴とする請求項１に記載の装飾用小型電灯の防水改良構造であることを要旨としている。
【０００９】
本願の請求項５では、前記第一防水パッキンは、カバーの内周面と円形接続部の外周面と電灯座体の夫リングとの間に定位されたことを特徴とする請求項３又は請求項４に記載の装飾用小型電灯の防水改良構造であることを要旨としている。
【００１０】
本願の請求項６では、前記ソケットの上端面と円形接続部との接続した処のやや下に、予め工具で力を加えるための凹部が設けられたことを特徴とする請求項１に記載の装飾用小型電灯の防水改良構造であることを要旨としている。
【００１１】
本願の請求項７では、前記ソケットの内部とそのハネスとの間には、一塞ぎ部材を入れて樹脂注ぎ作業を施して防水することができることを特徴とする請求項１に記載の装飾用小型電灯の防水改良構造であることを要旨としている。
【００１２】
【発明の実施の形態】
図１と図２に示す小型電灯１０を例として、そのガラス本体部分は一絶縁座体部分１１に取付けられ、且つ電灯の二端子１２が座体部分の側面に露出して、一ソケット２０の相対した挿し孔に挿し込むために用意されている。
【００１３】
図に示した本発明の好適な具体例では、ソケット２０の上端面２１に一つの突き出た円形接続部２２が設けられ、円形接続部２２の頂端の外周面に近接した処に段差部２３を形成し、なお、円形接続部２２の底端と上端面２１との接続処のやや下には、予め両側で凹部２４を設けた。
【００１４】
透明な材料で成形されたカバー３０は、頂面が開放されておらず、下端は開放した中空内孔３１（図３〜５を参照）を有する。カバー３０の下向く内孔３１は円形接続部２２の外径と対応して設けられ、円形接続部２２の外周面に嵌め込むことができる。この具体例では、カバー３０の内孔３１では予め所定の長さ（円形接続部２２の直立高さと対応）の戻り止歯付内周面３２が設けられる。且つ、この戻り止歯付内周面３２の端末には別に凹んだ段差部３３を設けることが好ましい。
【００１５】
図に示す本発明の好適な具体例では、カバー３０とソケット２０の円形接続部２２との間には少なくとも一パッキンを設けている。この具体例では、円形接続部２２に段差部２３が設けられて第一パッキン４０を段差部２３に嵌められ、それで、組立てた状態（図３を参照）では第一パッキン４０がカバー３０の内周面と円形接続部２２と電灯の座体部分１１の突リング１３との間に、弾性的に緊迫させる。
【００１６】
さらに、ソケット２０の上端面２１とカバー３０の凹んだ段差部３３との間に第二パッキン５０を追加してもよい。
【００１７】
図３に示すように、理想な具体例では、ソケット２０の内部とハネス２５、２６の間に一塞ぎ部材２９を入れてから樹脂注ぎ２００及び底カバー配置作業２０１を施すと更に完璧な防水構造が形成でき、この状態では、ハネス２５、２６の金属線（又は他の接続した金属片）２７、２８が密封状態で電灯１０の端子１２と接続して導電する。
【００１８】
本発明では、カバー３０が電灯１０の外周に組立てられて理想的な保護作用を発揮するとともに、カバー３０の戻り止歯付内周面３２は更にソケット２０の円形接続部２２と緊密に嵌めており、パッキン４０、５０により多重の防水効果を達成することができる。
【００１９】
図６に示すように、本発明の組立てた状態は安定且つ緊密であるので、例えば電灯を交換する必要がある場合にカバー３０を外そうとするときには、簡単な工具のスパナ開口６１をソケット２０の両側にある凹部２４に挿し込んで上へ力を加えると、カバー３０を外すことができる。
【００２０】
以上に挙げた具体例は、単に本発明を便利に説明するために挙げた例に過ぎず、全ての本発明の要旨の変形例や改良は、全て本発明の特許請求範囲に属する。
【００２１】
【発明の効果】
この発明は次のような効果がある。
【００２２】
更なる安定性且つ高信頼性を有した構造により小型電灯とそのソケットとを互いに接合させて、より理想的な防水効果を達成し、且つ、長時間アウトドア置かれても高安全性を有する。
【図面の簡単な説明】
【図１】本発明の好適な具体例の斜視図である。
【図２】図１の分解斜視図である。
【図３】図１の横断面図である。
【図４】図１の縦断面図である。
【図５】図３の５−５線断面図である。
【図６】簡単な工具で本発明に係るカバーを外す動作概略図である。
【符号の説明】
１０　小型電灯
１１　絶縁座体部分
１２　端子
１３　突リング
２０　ソケット
２１　上端面
２２　円形接続部
２３　段差部
２４　凹部
２５、２６　ハネス
２７、２８　金属線
２９　塞ぎ部材
３０　カバー
３１　内孔
３２　戻り止歯付内周面
３３　段差部
４０　第一パッキン
５０　第二パッキン
６１　スパナー開口
２００　樹脂注ぎ
２０１　底カバー配置作業
【図１】
2004014244.tif 000003
【図２】
2004014244.tif 000004
【図３】
2004014244.tif 000005
【図４】
2004014244.tif 000006
【図５】
2004014244.tif 000007
【図６】
2004014244.tif 000008